(57)【要約】【課題】  周波数帯に応じて携帯端末が認識する受信電界強度の補正を精密に行うことが可能な受信電界強度補正システムを提供する。【解決手段】  周波数帯域を複数に分割した区間毎に、端末が認識する電界強度のリップル曲線の近似線分を演算する（Ｓ２０１）。曲線からの乖離が大きい近似線分があれば、当該線分の一部分よりも曲線に近い近似線分を演算する（Ｓ２０４）。近似曲線どうしの交点の周波数を分割境界とし、分割境界のうち、電界強度の周波数特性が小さい区間内の分割境界を除外する（Ｓ２１２）。各分割区間のうち、電界強度の周波数特性が最大の分割区間から順に、当該分割区間内の周波数を分割境界として追加し、所定数の分割境界を得る（Ｓ２１４）。各分割境界の両端における端末による認識電界強度の平均値と、基準値との差を、各分割区間毎の補正値として端末に出力し周波数補正を行わせる（Ｓ２１５）。【選択図】    図２
2008227651.tif 000002
【特許請求の範囲】
【請求項１】
携帯端末が受信する信号について認識する認識電界強度を周波数に応じて補正する受信電界強度補正システムにおいて、
補正対象となる全ての周波数帯域を複数に分割した区間毎に、前記認識電界強度の周波数依存特性を示す曲線と近似する近似線分を演算する第１の手段と、
前記演算された複数の近似線分のなかに、第１の条件を満たすほど前記曲線からの乖離が大きい線分が存在する場合には、当該乖離が大きい線分の一部分よりも前記曲線に近い近似線分を演算する第２の手段と、
前記第２の手段により新たに演算された近似線分のなかに、前記第１の条件を満たすほど前記曲線からの乖離が大きい線分が存在する場合には、当該乖離が大きい線分の一部分の代わりに、該一部分と対応する区間において前記曲線上の２点間を結ぶ近似線分を演算する第３の手段と、
隣り合う近似線分の交点の中に、第２の条件を満たすほど前記曲線からの乖離が大きい交点が存在する場合には、当該交点の直近の周波数における前記曲線上の２点間を結ぶ近似線分を演算する第４の手段と、
近似曲線どうしの交点の周波数を分割境界とし、これら分割境界のうち、第３の条件を満たすほど周波数に応じた前記認識電界強度の変化量が小さい区間に位置する分割境界を、分割境界から除外する第５の手段と、
各分割境界で区切られる分割区間のうち、周波数に応じた前記認識電界強度の変化量が最大の分割区間から順に、当該分割区間内の周波数を分割境界として追加することにより、最終的な分割境界を所定数だけ得る第６の手段と、
各分割境界の両端における前記認識電界強度の平均値と、基準値との差を、各分割区間毎の補正値として前記携帯端末に出力し、該携帯端末に周波数補正を行わせる第７の手段と、
を備えることを特徴とする携帯端末の受信電界強度補正システム。
【請求項２】
前記第１の手段は、前記全ての周波数帯域を所定の分割数で等分割する境界の各々において、前記曲線の接線とみなせる近似線分を演算することを特徴とする請求項１に記載の携帯端末の受信電界強度補正システム。
【請求項３】
前記第１の条件は、複数の近似線分のうち前記曲線に対する接点が互いに隣り合う近似線分の交点にあたる周波数が、該交点を形成する一対の近似線分と前記曲線との一対の接点間の周波数から外れること、であることを特徴とする請求項２に記載の携帯端末の受信電界強度補正システム。
【請求項４】
前記第２の手段は、第１の条件を満たすほど前記曲線からの乖離が大きい線分が存在する場合に、前記一対の接点の中間の周波数において、前記曲線の接線とみなせる近似線分を演算することを特徴とする請求項３に記載の携帯端末の受信電界強度補正システム。
【請求項５】
前記第２の条件は、複数の近似線分のうち前記曲線に対する接点が互いに隣り合う近似線分が、互いの交点において形成する角のうち、前記曲線側を向く角が鋭角となること、であることを特徴とする請求項１乃至４の何れか一項に記載の携帯端末の受信電界強度補正システム。
【請求項６】
前記第３の条件は、隣り合う分割区間を１つにまとめた場合に、そのまとめた分割区間の両端の周波数における前記認識電界強度のレベル差が第１の所定値よりも小さく、且つ、１つにまとめられる分割区間における各近似線分の傾きが第２の所定値よりも小さいこと、であることを特徴とする請求項１乃至５の何れか一項に記載の携帯端末の受信電界強度補正システム。
【請求項７】
前記第６の手段は、各分割区間のうち、周波数に応じた前記認識電界強度の変化量が最大の分割区間から順に、当該分割区間内の中間周波数を分割境界として追加することを特徴とする請求項１乃至６の何れか一項に記載の携帯端末の受信電界強度補正システム。
【請求項８】
前記第１乃至第７の手段として機能する補正装置と、
前記補正装置からの指令に応じた周波数の信号を発信する信号発生器と、
を備え、
前記信号発生器は、周波数にかかわらず、互いに同一の電界強度で信号を発信するように構成され、
前記信号発生器から発信される信号の電界強度を前記携帯端末により測定及び認識させ、その測定結果を前記補正装置に出力させ、
前記補正装置は、前記携帯端末から入力される測定結果と、前記信号発生器から発信される周波数との対応関係に基づいて、前記第１乃至第７の手段として機能することを特徴とする請求項１乃至７の何れか一項に記載の携帯端末の受信電界強度補正システム。
【請求項９】
携帯端末が受信する信号について認識する認識電界強度を周波数に応じて補正する受信電界強度補正システムにおいて、
補正対象となる全ての周波数帯域を複数に分割した区間毎に、前記認識電界強度の周波数依存特性を示す曲線と近似する近似線分を演算する第１の手段と、
前記演算された複数の近似線分のなかに、第１の条件を満たすほど前記曲線からの乖離が大きい線分が存在する場合には、当該乖離が大きい線分の一部分よりも前記曲線に近い近似線分を演算する第２の手段と、
近似曲線どうしの交点の周波数を分割境界とし、これら分割境界で区切られる区間を分割区間とし、各分割境界の両端における前記認識電界強度の平均値と、基準値との差を、各分割区間毎の補正値として前記携帯端末に出力し、該携帯端末に周波数補正を行わせる第３の手段と、
を備えることを特徴とする携帯端末の受信電界強度補正システム。
【請求項１０】
前記第２の手段により新たに演算された近似線分のなかに、前記第１の条件を満たすほど前記曲線からの乖離が大きい線分が存在する場合には、当該乖離が大きい線分の一部分の代わりに、該一部分と対応する区間において前記曲線上の２点間を結ぶ近似線分を演算する第４の手段を更に備えることを特徴とする請求項９に記載の携帯端末の受信電界強度補正システム。
【請求項１１】
隣り合う近似線分の交点の中に、第２の条件を満たすほど前記曲線からの乖離が大きい交点が存在する場合には、当該交点の直近の周波数における前記曲線上の２点間を結ぶ近似線分を演算する第５の手段を更に備えることを特徴とする請求項９又は１０に記載の携帯端末の受信電界強度補正システム。
【請求項１２】
近似曲線どうしの交点の周波数を分割境界とし、これら分割境界のうち、第３の条件を満たすほど周波数に応じた前記認識電界強度の変化量が小さい区間に位置する分割境界を、分割境界から除外する第６の手段を更に備えることを特徴とする請求項９乃至１１の何れか一項に記載の携帯端末の受信電界強度補正システム。
【請求項１３】
携帯端末が受信する信号について認識する認識電界強度を周波数に応じて補正する受信電界強度補正システムにおいて、
補正対象となる全ての周波数帯域を複数に分割した区間毎に、前記認識電界強度の周波数依存特性を示す曲線と近似する近似線分を演算する第１の手段と、
近似曲線どうしの交点の周波数を分割境界とし、各分割境界で区切られる分割区間のうち、周波数に応じた前記認識電界強度の変化量が最大の分割区間から順に、当該分割区間内の中間周波数を分割境界として追加することにより、最終的な分割境界を所定数だけ得る第２の手段と、
各分割境界の両端における前記認識電界強度の平均値と、基準値との差を、各分割区間毎の補正値として前記携帯端末に出力し、該携帯端末に周波数補正を行わせる第３の手段と、
を備えることを特徴とする携帯端末の受信電界強度補正システム。
【請求項１４】
近似曲線どうしの交点の周波数を分割境界とし、これら分割境界のうち、第３の条件を満たすほど周波数に応じた前記認識電界強度の変化量が小さい区間に位置する分割境界を、分割境界から除外する第４の手段を更に備えることを特徴とする請求項１３に記載の携帯端末の受信電界強度補正システム。
【請求項１５】
携帯端末が受信する信号について認識する認識電界強度を周波数に応じて補正する受信電界強度補正システムにおいて、
補正対象となる全ての周波数帯域を複数に分割した区間毎に、前記認識電界強度の周波数依存特性を示す曲線と近似する近似線分を演算する第１の手段と、
近似曲線どうしの交点の周波数を分割境界とし、これら分割境界のうち、第３の条件を満たすほど周波数に応じた前記認識電界強度の変化量が小さい区間に位置する分割境界を、分割境界から除外する第２の手段と、
各分割境界の両端における前記認識電界強度の平均値と、基準値との差を、各分割区間毎の補正値として前記携帯端末に出力し、該携帯端末に周波数補正を行わせる第３の手段と、
を備えることを特徴とする携帯端末の受信電界強度補正システム。
【請求項１６】
携帯端末が受信する信号について認識する認識電界強度を周波数に応じて補正する受信電界強度補正方法において、
補正対象となる全ての周波数帯域を複数に分割した区間毎に、前記認識電界強度の周波数依存特性を示す曲線と近似する近似線分を演算する第１の過程と、
前記演算された複数の近似線分のなかに、第１の条件を満たすほど前記曲線からの乖離が大きい線分が存在する場合には、当該乖離が大きい線分の一部分よりも前記曲線に近い近似線分を演算する第２の過程と、
前記第２の過程により新たに演算された近似線分のなかに、前記第１の条件を満たすほど前記曲線からの乖離が大きい線分が存在する場合には、当該乖離が大きい線分の一部分の代わりに、該一部分と対応する区間において前記曲線上の２点間を結ぶ近似線分を演算する第３の過程と、
隣り合う近似線分の交点の中に、第２の条件を満たすほど前記曲線からの乖離が大きい交点が存在する場合には、当該交点の直近の周波数における前記曲線上の２点間を結ぶ近似線分を演算する第４の過程と、
近似曲線どうしの交点の周波数を分割境界とし、これら分割境界のうち、第３の条件を満たすほど周波数に応じた前記認識電界強度の変化量が小さい区間に位置する分割境界を、分割境界から除外する第５の過程と、
各分割境界で区切られる分割区間のうち、周波数に応じた前記認識電界強度の変化量が最大の分割区間から順に、当該分割区間内の周波数を分割境界として追加することにより、最終的な分割境界を所定数だけ得る第６の過程と、
各分割境界の両端における前記認識電界強度の平均値と、基準値との差を、各分割区間毎の補正値として前記携帯端末に出力し、該携帯端末に周波数補正を行わせる第７の過程と、
を備えることを特徴とする携帯端末の受信電界強度補正方法。
【請求項１７】
携帯端末が受信する信号について認識する認識電界強度を周波数に応じて補正する受信電界強度補正方法において、
補正対象となる全ての周波数帯域を複数に分割した区間毎に、前記認識電界強度の周波数依存特性を示す曲線と近似する近似線分を演算する第１の過程と、
前記演算された複数の近似線分のなかに、第１の条件を満たすほど前記曲線からの乖離が大きい線分が存在する場合には、当該乖離が大きい線分の一部分よりも前記曲線に近い近似線分を演算する第２の過程と、
近似曲線どうしの交点の周波数を分割境界とし、これら分割境界で区切られる区間を分割区間とし、各分割境界の両端における前記認識電界強度の平均値と、基準値との差を、各分割区間毎の補正値として前記携帯端末に出力し、該携帯端末に周波数補正を行わせる第３の過程と、
を備えることを特徴とする携帯端末の受信電界強度補正方法。
【請求項１８】
携帯端末が受信する信号について認識する認識電界強度を周波数に応じて補正する受信電界強度補正方法において、
補正対象となる全ての周波数帯域を複数に分割した区間毎に、前記認識電界強度の周波数依存特性を示す曲線と近似する近似線分を演算する第１の過程と、
近似曲線どうしの交点の周波数を分割境界とし、各分割境界で区切られる分割区間のうち、周波数に応じた前記認識電界強度の変化量が最大の分割区間から順に、当該分割区間内の中間周波数を分割境界として追加することにより、最終的な分割境界を所定数だけ得る第２の過程と、
各分割境界の両端における前記認識電界強度の平均値と、基準値との差を、各分割区間毎の補正値として前記携帯端末に出力し、該携帯端末に周波数補正を行わせる第３の過程と、
を備えることを特徴とする携帯端末の受信電界強度補正方法。
【請求項１９】
携帯端末が受信する信号について認識する認識電界強度を周波数に応じて補正する受信電界強度補正方法において、
補正対象となる全ての周波数帯域を複数に分割した区間毎に、前記認識電界強度の周波数依存特性を示す曲線と近似する近似線分を演算する第１の過程と、
近似曲線どうしの交点の周波数を分割境界とし、これら分割境界のうち、第３の条件を満たすほど電界強度の周波数特性が小さい区間に位置する分割境界を、分割境界から除外する第２の過程と、
各分割境界の両端における前記認識電界強度の平均値と、基準値との差を、各分割区間毎の補正値として前記携帯端末に出力し、該携帯端末に周波数補正を行わせる第３の過程と、
を備えることを特徴とする携帯端末の受信電界強度補正方法。
【請求項２０】
コンピュータが実行可能なプログラムにおいて、請求項１６乃至１９の何れか一項に記載の携帯端末の受信電界強度補正方法をコンピュータに実行させることを特徴とするプログラム。
【発明の詳細な説明】
【技術分野】
【０００１】
本発明は、携帯端末の受信電界強度補正システム、携帯端末の受信電界強度補正方法及びそのプログラムに関する。
【背景技術】
【０００２】
携帯端末は、同じ電界強度の信号を受信するのであっても、認識する電界強度には周波数によって差がある。
【０００３】
すなわち、携帯端末が第１電界強度の第１周波数の信号を受信する際に該端末装置が認識する電界強度と、第１周波数の信号と同じ電界強度（つまり第１電界強度）の第２周波数の信号を受信する際に該端末装置が認識する電界強度には、差がある。
【０００４】
従って、携帯端末が認識する電界強度の差分の補正を周波数ごとに行わないと、携帯端末の周囲の電界をバンド内の全周波数にわたって正確に観測することができない。
【０００５】
このような問題を解決するために、携帯端末が信号を受信する際に認識する電界強度を、周波数毎に異なる誤差で補正することにより、真値を正確に認識できるようにする必要がある。このため、周波数帯域を複数の区間で分割し、その分割した区間ごとに電界強度を補正する。この補正方法は、周波数帯域の分割境界、すなわち各区間の境界となる周波数を一定間隔に固定して行うのが一般的である（例えば、特許文献１参照）。
【０００６】
しかし、周波数帯域の分割境界が一定間隔であると、リップルの大きな携帯端末については十分な補正をすることができないのが現状である。
【０００７】
このような問題に対し、特許文献２には、周波数特性偏差が大きい部分においては、分割周波数帯域の帯域幅を狭くする一方で、周波数特性偏差が小さい部分においては帯域幅を広く設定することにより、全ての帯域に亘り、偏差が予め定められた値に収まるようにする技術が開示されている。
【特許文献１】特許第２９２１７９８号公報
【特許文献２】特開平７−２２１６９７号公報
【発明の開示】
【発明が解決しようとする課題】
【０００８】
しかしながら、特許文献２の技術では、チャンネルに応じた補正値が、個々の携帯端末によらず、一律の値に固定されている。このため、携帯端末ごとにリップル波形が異なっていた場合には、周波数帯域の分割境界が固定のため、携帯端末ごとの精密な補正をすることができないという問題がある。
【０００９】
本発明は、上記のような問題点を解決するためになされたもので、従来よりも精密に、それぞれの周波数帯に応じて携帯端末が認識する受信電界強度の周波数補正をすることが可能な受信電界強度補正システム、受信電界強度補正方法及びそのプログラムを提供することを目的とする。
【課題を解決するための手段】
【００１０】
上記課題を解決するため、本発明の携帯端末の受信電界強度補正システムは、携帯端末が受信する信号について認識する認識電界強度を周波数に応じて補正する受信電界強度補正システムにおいて、補正対象となる全ての周波数帯域を複数に分割した区間毎に、前記認識電界強度の周波数依存特性を示す曲線と近似する近似線分を演算する第１の手段と、前記演算された複数の近似線分のなかに、第１の条件を満たすほど前記曲線からの乖離が大きい線分が存在する場合には、当該乖離が大きい線分の一部分よりも前記曲線に近い近似線分を演算する第２の手段と、前記第２の手段により新たに演算された近似線分のなかに、前記第１の条件を満たすほど前記曲線からの乖離が大きい線分が存在する場合には、当該乖離が大きい線分の一部分の代わりに、該一部分と対応する区間において前記曲線上の２点間を結ぶ近似線分を演算する第３の手段と、隣り合う近似線分の交点の中に、第２の条件を満たすほど前記曲線からの乖離が大きい交点が存在する場合には、当該交点の直近の周波数における前記曲線上の２点間を結ぶ近似線分を演算する第４の手段と、近似曲線どうしの交点の周波数を分割境界とし、これら分割境界のうち、第３の条件を満たすほど周波数に応じた前記認識電界強度の変化量が小さい区間に位置する分割境界を、分割境界から除外する第５の手段と、各分割境界で区切られる分割区間のうち、周波数に応じた前記認識電界強度の変化量が最大の分割区間から順に、当該分割区間内の周波数を分割境界として追加することにより、最終的な分割境界を所定数だけ得る第６の手段と、各分割境界の両端における前記認識電界強度の平均値と、基準値との差を、各分割区間毎の補正値として前記携帯端末に出力し、該携帯端末に周波数補正を行わせる第７の手段と、を備えることを特徴としている。
【００１１】
本発明の携帯端末の受信電界強度補正システムにおいては、前記第１の手段は、前記全ての周波数帯域を所定の分割数で等分割する境界の各々において、前記曲線の接線とみなせる近似線分を演算することが好ましい。
【００１２】
本発明の携帯端末の受信電界強度補正システムにおいては、前記第１の条件は、複数の近似線分のうち前記曲線に対する接点が互いに隣り合う近似線分の交点にあたる周波数が、該交点を形成する一対の近似線分と前記曲線との一対の接点間の周波数から外れること、であることが好ましい。
【００１３】
本発明の携帯端末の受信電界強度補正システムにおいては、前記第２の手段は、第１の条件を満たすほど前記曲線からの乖離が大きい線分が存在する場合に、前記一対の接点の中間の周波数において、前記曲線の接線とみなせる近似線分を演算することが好ましい。
【００１４】
本発明の携帯端末の受信電界強度補正システムにおいては、前記第２の条件は、複数の近似線分のうち前記曲線に対する接点が互いに隣り合う近似線分が、互いの交点において形成する角のうち、前記曲線側を向く角が鋭角となること、であることが好ましい。
【００１５】
本発明の携帯端末の受信電界強度補正システムにおいては、前記第３の条件は、隣り合う分割区間を１つにまとめた場合に、そのまとめた分割区間の両端の周波数における前記認識電界強度のレベル差が第１の所定値よりも小さく、且つ、１つにまとめられる分割区間における各近似線分の傾きが第２の所定値よりも小さいこと、であることが好ましい。
【００１６】
本発明の携帯端末の受信電界強度補正システムにおいては、前記第６の手段は、各分割区間のうち、周波数に応じた前記認識電界強度の変化量が最大の分割区間から順に、当該分割区間内の中間周波数を分割境界として追加することが好ましい。
【００１７】
本発明の携帯端末の受信電界強度補正システムにおいては、前記第１乃至第７の手段として機能する補正装置と、前記補正装置からの指令に応じた周波数の信号を発信する信号発生器と、を備え、前記信号発生器は、周波数にかかわらず、互いに同一の電界強度で信号を発信するように構成され、前記信号発生器から発信される信号の電界強度を前記携帯端末により測定及び認識させ、その測定結果を前記補正装置に出力させ、前記補正装置は、前記携帯端末から入力される測定結果と、前記信号発生器から発信される周波数との対応関係に基づいて、前記第１乃至第７の手段として機能することが好ましい。
【００１８】
また、本発明の携帯端末の受信電界強度補正システムは、携帯端末が受信する信号について認識する認識電界強度を周波数に応じて補正する受信電界強度補正システムにおいて、補正対象となる全ての周波数帯域を複数に分割した区間毎に、前記認識電界強度の周波数依存特性を示す曲線と近似する近似線分を演算する第１の手段と、前記演算された複数の近似線分のなかに、第１の条件を満たすほど前記曲線からの乖離が大きい線分が存在する場合には、当該乖離が大きい線分の一部分よりも前記曲線に近い近似線分を演算する第２の手段と、近似曲線どうしの交点の周波数を分割境界とし、これら分割境界で区切られる区間を分割区間とし、各分割境界の両端における前記認識電界強度の平均値と、基準値との差を、各分割区間毎の補正値として前記携帯端末に出力し、該携帯端末に周波数補正を行わせる第３の手段と、を備えることを特徴としている。
【００１９】
本発明の携帯端末の受信電界強度補正システムにおいては、前記第２の手段により新たに演算された近似線分のなかに、前記第１の条件を満たすほど前記曲線からの乖離が大きい線分が存在する場合には、当該乖離が大きい線分の一部分の代わりに、該一部分と対応する区間において前記曲線上の２点間を結ぶ近似線分を演算する第４の手段を更に備えることが好ましい。
【００２０】
本発明の携帯端末の受信電界強度補正システムにおいては、隣り合う近似線分の交点の中に、第２の条件を満たすほど前記曲線からの乖離が大きい交点が存在する場合には、当該交点の直近の周波数における前記曲線上の２点間を結ぶ近似線分を演算する第５の手段を更に備えることが好ましい。
【００２１】
本発明の携帯端末の受信電界強度補正システムにおいては、近似曲線どうしの交点の周波数を分割境界とし、これら分割境界のうち、第３の条件を満たすほど周波数に応じた前記認識電界強度の変化量が小さい区間に位置する分割境界を、分割境界から除外する第６の手段を更に備えることが好ましい。
【００２２】
また、本発明の携帯端末の受信電界強度補正システムは、携帯端末が受信する信号について認識する認識電界強度を周波数に応じて補正する受信電界強度補正システムにおいて、補正対象となる全ての周波数帯域を複数に分割した区間毎に、前記認識電界強度の周波数依存特性を示す曲線と近似する近似線分を演算する第１の手段と、近似曲線どうしの交点の周波数を分割境界とし、各分割境界で区切られる分割区間のうち、周波数に応じた前記認識電界強度の変化量が最大の分割区間から順に、当該分割区間内の中間周波数を分割境界として追加することにより、最終的な分割境界を所定数だけ得る第２の手段と、各分割境界の両端における前記認識電界強度の平均値と、基準値との差を、各分割区間毎の補正値として前記携帯端末に出力し、該携帯端末に周波数補正を行わせる第３の手段と、を備えることを特徴としている。
【００２３】
本発明の携帯端末の受信電界強度補正システムにおいては、近似曲線どうしの交点の周波数を分割境界とし、これら分割境界のうち、第３の条件を満たすほど周波数に応じた前記認識電界強度の変化量が小さい区間に位置する分割境界を、分割境界から除外する第４の手段を更に備えることが好ましい。
【００２４】
また、本発明の携帯端末の受信電界強度補正システムは、携帯端末が受信する信号について認識する認識電界強度を周波数に応じて補正する受信電界強度補正システムにおいて、補正対象となる全ての周波数帯域を複数に分割した区間毎に、前記認識電界強度の周波数依存特性を示す曲線と近似する近似線分を演算する第１の手段と、近似曲線どうしの交点の周波数を分割境界とし、これら分割境界のうち、第３の条件を満たすほど周波数に応じた前記認識電界強度の変化量が小さい区間に位置する分割境界を、分割境界から除外する第２の手段と、各分割境界の両端における前記認識電界強度の平均値と、基準値との差を、各分割区間毎の補正値として前記携帯端末に出力し、該携帯端末に周波数補正を行わせる第３の手段と、を備えることを特徴としている。
【００２５】
また、本発明の携帯端末の受信電界強度補正方法は、携帯端末が受信する信号について認識する認識電界強度を周波数に応じて補正する受信電界強度補正方法において、補正対象となる全ての周波数帯域を複数に分割した区間毎に、前記認識電界強度の周波数依存特性を示す曲線と近似する近似線分を演算する第１の過程と、前記演算された複数の近似線分のなかに、第１の条件を満たすほど前記曲線からの乖離が大きい線分が存在する場合には、当該乖離が大きい線分の一部分よりも前記曲線に近い近似線分を演算する第２の過程と、前記第２の過程により新たに演算された近似線分のなかに、前記第１の条件を満たすほど前記曲線からの乖離が大きい線分が存在する場合には、当該乖離が大きい線分の一部分の代わりに、該一部分と対応する区間において前記曲線上の２点間を結ぶ近似線分を演算する第３の過程と、隣り合う近似線分の交点の中に、第２の条件を満たすほど前記曲線からの乖離が大きい交点が存在する場合には、当該交点の直近の周波数における前記曲線上の２点間を結ぶ近似線分を演算する第４の過程と、近似曲線どうしの交点の周波数を分割境界とし、これら分割境界のうち、第３の条件を満たすほど周波数に応じた前記認識電界強度の変化量が小さい区間に位置する分割境界を、分割境界から除外する第５の過程と、各分割境界で区切られる分割区間のうち、周波数に応じた前記認識電界強度の変化量が最大の分割区間から順に、当該分割区間内の周波数を分割境界として追加することにより、最終的な分割境界を所定数だけ得る第６の過程と、各分割境界の両端における前記認識電界強度の平均値と、基準値との差を、各分割区間毎の補正値として前記携帯端末に出力し、該携帯端末に周波数補正を行わせる第７の過程と、を備えることを特徴としている。
【００２６】
また、本発明の携帯端末の受信電界強度補正方法は、携帯端末が受信する信号について認識する認識電界強度を周波数に応じて補正する受信電界強度補正方法において、補正対象となる全ての周波数帯域を複数に分割した区間毎に、前記認識電界強度の周波数依存特性を示す曲線と近似する近似線分を演算する第１の過程と、前記演算された複数の近似線分のなかに、第１の条件を満たすほど前記曲線からの乖離が大きい線分が存在する場合には、当該乖離が大きい線分の一部分よりも前記曲線に近い近似線分を演算する第２の過程と、近似曲線どうしの交点の周波数を分割境界とし、これら分割境界で区切られる区間を分割区間とし、各分割境界の両端における前記認識電界強度の平均値と、基準値との差を、各分割区間毎の補正値として前記携帯端末に出力し、該携帯端末に周波数補正を行わせる第３の過程と、を備えることを特徴としている。
【００２７】
また、本発明の携帯端末の受信電界強度補正方法は、携帯端末が受信する信号について認識する認識電界強度を周波数に応じて補正する受信電界強度補正方法において、補正対象となる全ての周波数帯域を複数に分割した区間毎に、前記認識電界強度の周波数依存特性を示す曲線と近似する近似線分を演算する第１の過程と、近似曲線どうしの交点の周波数を分割境界とし、各分割境界で区切られる分割区間のうち、周波数に応じた前記認識電界強度の変化量が最大の分割区間から順に、当該分割区間内の中間周波数を分割境界として追加することにより、最終的な分割境界を所定数だけ得る第２の過程と、各分割境界の両端における前記認識電界強度の平均値と、基準値との差を、各分割区間毎の補正値として前記携帯端末に出力し、該携帯端末に周波数補正を行わせる第３の過程と、を備えることを特徴としている。
【００２８】
また、本発明の携帯端末の受信電界強度補正方法は、携帯端末が受信する信号について認識する認識電界強度を周波数に応じて補正する受信電界強度補正方法において、補正対象となる全ての周波数帯域を複数に分割した区間毎に、前記認識電界強度の周波数依存特性を示す曲線と近似する近似線分を演算する第１の過程と、近似曲線どうしの交点の周波数を分割境界とし、これら分割境界のうち、第３の条件を満たすほど電界強度の周波数特性が小さい区間に位置する分割境界を、分割境界から除外する第２の過程と、各分割境界の両端における前記認識電界強度の平均値と、基準値との差を、各分割区間毎の補正値として前記携帯端末に出力し、該携帯端末に周波数補正を行わせる第３の過程と、を備えることを特徴としている。
【００２９】
また、本発明のプログラムは、コンピュータが実行可能なプログラムにおいて、本発明の携帯端末の受信電界強度補正方法をコンピュータに実行させることを特徴としている。
【発明の効果】
【００３０】
本発明によれば、従来よりも精密に、それぞれの周波数帯に応じて携帯端末が認識する受信電界強度の周波数補正をすることが可能となる。
【発明を実施するための最良の形態】
【００３１】
以下、図面を参照して、本発明に係る実施形態について説明する。
【００３２】
図１は実施形態に係る受信電界強度補正システム１０の構成を示すブロック図である。
【００３３】
図１に示すように、本実施形態に係る受信電界強度補正システム１０は、補正対象の携帯端末１００が認識する受信電界強度の補正を行うためのものであり、携帯端末１００により受信可能なように信号を発信する信号発生器１０１と、携帯端末１００が認識する受信電界強度を補正させる補正装置１０２と、を備えている。
【００３４】
信号発生器１０１は、補正装置１０２の指令に応じて、複数のチャネルの周波数の信号を、それぞれ互いに等しい電界強度で発信する。つまり、信号発生器１０１から発信される信号の電界強度（送信電力）は、チャネルにかかわらず（周波数にかかわらず）一定値である。
【００３５】
携帯端末１００は、携帯電話機或いはその他の携帯端末であり、信号を受信し、その信号の電界強度（受信電界強度）を測定及び認識する機能を有する。
【００３６】
携帯端末１００による受信電界強度の補正の際には、携帯端末１００は、信号発生器１０１から発信される信号を受信し、その受信電界強度を測定及び認識し、認識した受信電界強度を補正装置１０２に対して出力する。
【００３７】
補正装置１０２は、例えばＰＣ（Ｐｅｒｓｏｎａｌ  Ｃｏｍｐｕｔｅｒ）などからなり、制御及び演算を実行するＣＰＵと、このＣＰＵの動作用プログラム（プログラム）を記憶したＲＯＭと、ＣＰＵの作業領域などとして機能するＲＡＭと、を備える。
【００３８】
この補正装置１０２は、信号発生器１０１に対して指令を送り、所望のチャネルの周波数の信号を発信させる。
【００３９】
また、補正装置１０２は、携帯端末１００から入力される受信電界強度を、信号発生器１０１から発信されるチャネル（或いは周波数）と対応付けて認識し、記憶する。
【００４０】
そして、補正装置１０２は、信号発生器１０１から発信されるチャネルに応じた受信電界強度の変化に基づいて、全チャネルの周波数帯域を適切な分割境界によって複数の区間に分割し、各分割区間毎に、必要な補正値を演算する。
【００４１】
更に、補正装置１０２は、演算した補正値によって受信電界強度を各分割区間毎に補正させるべく、携帯端末１００に補正値を送信し、該補正値を携帯端末１００に記憶させる。
【００４２】
携帯端末１００は、補正装置１０２からの指令によって記憶した補正値を用いて、上記の各分割区間毎に受信電界強度を補正することにより、チャネル（周波数）にかかわらず真の電界強度に近い受信電界強度を認識できるようになる。
【００４３】
次に、動作の詳細を説明する。
【００４４】
図２は、携帯端末１００が認識する受信電界強度を受信電界強度補正システム１０によって補正する動作の流れを示すフローチャート、図３は携帯端末１００が認識する受信電界強度のリップル波形を示す図、図４乃至図１１は周波数帯域の分割境界を決定する一連の工程を説明するための図、図１２は最終的に得られた分割境界で区切られる分割区間毎に携帯端末１００による受信電界強度を補正する工程を説明するための図である。なお、図３乃至図１２において、横軸（Ｘ座標）はチャネルであり、縦軸（Ｙ座標）は携帯端末１００が測定により認識する電界強度（認識電界強度）であり、単位はｄＢｍである。
【００４５】
本実施形態の動作の説明は、携帯端末１００のあるバンド内の全チャネルが０チャネルから１６０チャネルまでの合計１６１チャネルである場合を例として行う。
【００４６】
先ず、図３に示す曲線Ｌ０は、携帯端末１００によって認識される受信電界強度のリップル波形の一例を示す曲線（携帯端末１００が認識する電界強度の周波数依存特性を示す曲線の一例）である。
【００４７】
すなわち、図３の曲線Ｌ０は、信号発生器１０１から、補正対象の携帯端末１００のあるバンド内の全チャネルと対応する周波数の信号を順次に発信し、各チャネルの周波数の信号の受信電界強度を携帯端末１００において測定し、その測定結果をプロットした場合に得られる波形の一例を示す曲線である。
【００４８】
信号発生器１０１からは、チャネルによらず（周波数によらず）常に一定の電界強度の信号が発信されるにもかかわらず、例えば図３に示すように、携帯端末１００により測定及び認識される受信電界強度は、曲線Ｌ０に示すようにチャネルに応じて波打つように変化するリップル波形となる。
【００４９】
曲線Ｌ０は、個々の携帯端末１００の受信特性に応じて変化するものであるため、個々の携帯端末１００により異なる波形となる。
【００５０】
なお、実際には、図３に示すような曲線Ｌ０を得るための携帯端末１００による受信電界強度の測定は行わず、図２のフローチャートに示す手順を実行することにより受信電界強度の補正を行うが、図４乃至図１２においても説明の補助として曲線Ｌ０を図示している。
【００５１】
受信電界強度補正システム１０による受信電界強度の補正動作は、大きく分けて、チャネルの分割境界（周波数帯域の分割境界と言い換えることができる）を決定する一連の工程と、最終的に得られた分割境界で区切られる分割区間毎に受信電界強度の補正値を演算し携帯端末１００により認識する受信電界強度を補正する工程と、の２つの工程からなる。
【００５２】
以下、図２、図４乃至図１２を参照して、チャネル（周波数帯域）の分割境界を決定する一連の工程を説明する。
【００５３】
先ずは、曲線Ｌ０を複数の線分により近似する工程を行う。
【００５４】
ここで、全チャネル（全周波数帯域）を複数の分割区間に分ける分割境界の最終的な数は任意であるが、本実施形態の場合、例えば、周波数帯域の最終的な分割数を１６とし、従って、分割境界の数を、例えば１７個（各分割区間の間の分割境界が１５個と、０チャネル及び１６０チャネルのところの２つの分割境界と、を合わせて計１７個）とする。
【００５５】
また、便宜的に、当初の分割数は、上記最終的な分割数である１６よりも少ない適当な数とする。具体的には、例えば、当初の分割数は８とし、分割境界は、０チャネルから１６０チャネルまでを８等分するための合計９つの分割境界であるとする。すなわち、具体的には、例えば、当初の分割境界は、図４に示す９つの分割境界Ｂ１〜Ｂ９であり、このうち分割境界Ｂ１はチャネル０、分割境界Ｂ２はチャネル２０、分割境界Ｂ３はチャネル４０、分割境界Ｂ４はチャネル６０、分割境界Ｂ５はチャネル８０、分割境界Ｂ６はチャネル１００、分割境界Ｂ７はチャネル１２０、分割境界Ｂ８はチャネル１４０、分割境界Ｂ９はチャネル１６０である。
【００５６】
そして、補正装置１０２は、図４に示す９つの分割境界Ｂ１〜Ｂ９の各々において、近似的に曲線Ｌ０の接線とみなせるような一次関数を演算する。すなわち、図４に示す９つの一次関数Ｆ１〜Ｆ９を演算する。
【００５７】
これら一次関数Ｆ１〜Ｆ９を演算するためには、先ず、９つの分割境界Ｂ１〜Ｂ９の各々において携帯端末１００により認識する受信電界強度（受信電界レベル）と、各分割境界Ｂ１〜Ｂ９の隣のチャネルにおいて携帯端末１００により認識する受信電界強度と、を測定する（ステップＳ２００）。
【００５８】
ここで、各チャネルにおける受信電界強度の測定は、補正装置１０２からの指令に応じて信号発生器１０１から各チャネルと対応する周波数の信号を順次に発信し、この信号を携帯端末１００により順次に測定することにより行う。また、携帯端末１００による受信電界強度の測定結果は、それぞれ補正装置１０２に対して出力される。補正装置１０２では、携帯端末１００から入力される受信電界強度の測定結果の各々を、信号発生器１０１から発信されるチャネル（と対応する周波数）とそれぞれ対応付けて記憶する。
【００５９】
なお、以下では、便宜的に、当初の分割境界Ｂ１〜Ｂ９にあたる上記９つのチャネルを「チャネルＣｎ」と記載することもある。同様に、当初の分割境界Ｂ１〜Ｂ９の隣のチャネルを「チャネルＣｎ＋１」或いは「チャネルＣｎ−１」と記載することもある。
【００６０】
チャネルＣｎ＋１は、チャネルＣｎよりも１つ数が大きいチャネルを意味する。例えば、チャネルＣｎがチャネル０であれば、チャネルＣｎ＋１はチャネル１である。
【００６１】
また、チャネルＣｎ−１は、チャネルＣｎよりも１つ数が小さいチャネルを意味する。例えば、チャネルＣｎがチャネル１６０であれば、チャネルＣｎ−１はチャネル１５９である。
【００６２】
ステップＳ２００では、例えば、分割境界Ｂ１〜Ｂ８（チャネル０、２０、４０、６０、８０、１００、１２０及び１４０）については、チャネルＣｎ及びチャネルＣｎ＋１における受信電界強度を測定し、分割境界Ｂ９（チャネル１６０）については、チャネルＣｎ及びチャネルＣｎ−１における受信電界強度を測定する。
【００６３】
すなわち、ステップＳ２００では、信号発生器１０１から発信する信号の周波数をチャネル０、チャネル１、チャネル２０、チャネル２１、チャネル４０、チャネル４１、チャネル６０、チャネル６１、チャネル８０、チャネル８１、チャネル１００、チャネル１０１、チャネル１２０、チャネル１２１、チャネル１４０、チャネル１４１、チャネル１５９及びチャネル１６０の周波数に順次に設定し、それぞれ受信電界強度を携帯端末１００により測定する。また、携帯端末１００はこれら測定の結果を補正装置１０２に対して出力し、補正装置１０２では、携帯端末１００から送信された各測定結果を、信号発生器１０１から発信されるチャネル（或いは周波数）とそれぞれ対応付けて記憶する。
【００６４】
ここで、各チャネルＣｎの信号を受信するときの携帯端末１００による受信電界強度の測定値をＭＣｎと表すものとすると、各チャネルＣｎにおける曲線Ｌ０上の点のＸ−Ｙ座標は座標（Ｃｎ、ＭＣｎ）と表すことができる。
【００６５】
同様に、各チャネルＣｎ＋１の信号を受信するときの携帯端末１００による受信電界強度の測定値をＭＣｎ＋１と表すものとすると、各チャネルＣｎ＋１における曲線Ｌ０上の点のＸ−Ｙ座標は座標（Ｃｎ＋１、ＭＣｎ＋１）と表すことができる。
【００６６】
同様に、各チャネルＣｎ−１の信号を受信するときの携帯端末１００による受信電界強度の測定値をＭＣｎ−１と表すものとすると、各チャネルＣｎ−１における曲線Ｌ０上の点のＸ−Ｙ座標は座標（Ｃｎ−１、ＭＣｎ−１）と表すことができる。
【００６７】
次に、補正装置１０２は、図４に示すように、各分割境界Ｂ１〜Ｂ８における座標（Ｃｎ、ＭＣｎ）とその隣のチャネルにおける座標（Ｃｎ＋１、ＭＣｎ＋１）とを通る一次関数Ｆ１〜Ｆ８を演算する。同様に、補正装置１０２は、分割境界Ｂ９における座標（Ｃｎ、ＭＣｎ）と座標（Ｃｎ−１、ＭＣｎ−１）とを通る一次関数Ｆ９を演算する（Ｓ２０１）。
【００６８】
具体的には、例えば、一次関数Ｆ１は、座標（チャネル０、チャネル０の信号を受信するときの携帯端末１００による受信電界強度の測定値）と座標（チャネル１、チャネル１の信号を受信するときの携帯端末１００による受信電界強度の測定値）とを通る一次関数であり、一次関数Ｆ２〜Ｆ８も同様に、各分割境界Ｂ２〜Ｂ８における座標（Ｃｎ、ＭＣｎ）とその隣のチャネルにおける座標（Ｃｎ＋１、ＭＣｎ＋１）とを通る一次関数である。また、一次関数Ｆ９は、座標（チャネル１５９、チャネル１５９の信号を受信するときの携帯端末１００による受信電界強度の測定値）と座標（チャネル１６０、チャネル１６０の信号を受信するときの携帯端末１００による受信電界強度の測定値）とを通る一次関数である。
【００６９】
これら一次関数Ｆ１〜Ｆ９は、分割境界Ｂ１〜Ｂ９の各々において、近似的に曲線Ｌ０の接線とみなすことができる。
【００７０】
なお、図面が煩雑になることを避けるため、各一次関数Ｆ１〜Ｆ９において、説明上、必要でない部分は図示を省略している。
【００７１】
ここで、各一次関数Ｆ１〜Ｆ９と曲線Ｌ０との接点ＳＰ１〜ＳＰ９（図４）は、近似的に座標（Ｃｎ、ＭＣｎ）であるといえる。
【００７２】
また、各一次関数Ｆ１〜Ｆ９において、曲線Ｌ０との接点ＳＰ１〜ＳＰ９の近傍の部分は、曲線Ｌ０の近似線分であると言える。
【００７３】
次に、このようにして求めた複数の近似線分のなかに、曲線Ｌ０からの乖離が大きい線分が存在する場合に、該乖離が大きい線分の各々における一部分よりも、曲線Ｌ０に近い線分を演算する工程を行う。
【００７４】
そのため、補正装置１０２は、先ず、ステップＳ２０１にて求めた一次関数Ｆ１〜Ｆ９の各々について、曲線Ｌ０との接点が互いに隣り合う一次関数との交点の座標を演算する（ステップＳ２０２）。
【００７５】
すなわち、補正装置１０２は、図４に示すように、一次関数Ｆ１と一次関数Ｆ２との交点Ｐ１、一次関数Ｆ２と一次関数Ｆ３との交点Ｐ２、一次関数Ｆ３と一次関数Ｆ４との交点Ｐ３、一次関数Ｆ４と一次関数Ｆ５との交点Ｐ４、一次関数Ｆ５と一次関数Ｆ６との交点Ｐ５、一次関数Ｆ６と一次関数Ｆ７との交点Ｐ６、一次関数Ｆ７と一次関数Ｆ８との交点Ｐ７、及び、一次関数Ｆ８と一次関数Ｆ９との交点Ｐ８の座標をそれぞれ演算する。
【００７６】
次に、補正装置１０２は、ステップＳ２０２にて演算した各交点Ｐ１〜Ｐ８のＸ座標の全てが所定の範囲内に位置するか否かを判定する（ステップＳ２０３）。
【００７７】
具体的には、ステップＳ２０３では、各交点Ｐ１〜Ｐ８のＸ座標の全てが、各交点Ｐ１〜Ｐ８を形成する一対の一次関数（一次関数Ｆ１〜Ｆ９のうち何れか隣り合う２つ）と曲線Ｌ０との接点のＸ座標（つまりチャネルＣｎ）の間の値であるか否かを判定する。
【００７８】
すなわち、図４に示すように、交点Ｐ１のＸ座標については、一次関数Ｆ１と曲線Ｌ０との接点ＳＰ１のＸ座標と、一次関数Ｆ２と曲線Ｌ０との接点ＳＰ２のＸ座標と、の間の値であるか否かを判定する。交点Ｐ１のＸ座標（図４に示すように、およそチャネル１２）は、接点ＳＰ１のＸ座標（近似的に、チャネル０）と、接点ＳＰ２のＸ座標（近似的に、チャネル２０）と、の間に位置することから、補正装置１０２は、交点Ｐ１のＸ座標は、それら２つの接点ＳＰ１、ＳＰ２のＸ座標の間の値であると判定する。
【００７９】
同様に、交点Ｐ２のＸ座標（図４に示すように、およそチャネル４５）は、一次関数Ｆ２と曲線Ｌ０との接点ＳＰ２のＸ座標（近似的に、チャネル２０）と、一次関数Ｆ３と曲線Ｌ０との接点ＳＰ３のＸ座標（近似的に、チャネル４０）と、の間から外れていることから、補正装置１０２は、交点Ｐ２のＸ座標は、それら２つの接点ＳＰ２、ＳＰ３のＸ座標の間の値ではないと判定する。
【００８０】
同様に、交点Ｐ３のＸ座標（図４に示すように、およそチャネル４８）は、一次関数Ｆ３と曲線Ｌ０との接点ＳＰ３のＸ座標（近似的に、チャネル４０）と、一次関数Ｆ４と曲線Ｌ０との接点ＳＰ４のＸ座標（近似的に、チャネル６０）と、の間に位置することから、補正装置１０２は、交点Ｐ３のＸ座標は、それら２つの接点ＳＰ３、ＳＰ４のＸ座標の間の値であると判定する。
【００８１】
同様に、交点Ｐ４のＸ座標（図４に示すように、およそチャネル７２）は、一次関数Ｆ４と曲線Ｌ０との接点ＳＰ４のＸ座標（近似的に、チャネル６０）と、一次関数Ｆ５と曲線Ｌ０との接点ＳＰ５のＸ座標（近似的に、チャネル８０）と、の間に位置することから、補正装置１０２は、交点Ｐ４のＸ座標は、それら２つの接点ＳＰ４、ＳＰ５のＸ座標の間の値であると判定する。
【００８２】
同様に、交点Ｐ５のＸ座標（図４に示すように、およそチャネル７４）は、一次関数Ｆ５と曲線Ｌ０との接点ＳＰ５のＸ座標（近似的に、チャネル８０）と、一次関数Ｆ６と曲線Ｌ０との接点ＳＰ６のＸ座標（近似的に、チャネル１００）と、の間から外れていることから、補正装置１０２は、交点Ｐ５のＸ座標は、それら２つの接点ＳＰ５、ＳＰ６のＸ座標の間の値ではないと判定する。
【００８３】
同様に、交点Ｐ６のＸ座標（図４に示すように、およそチャネル１１２）は、一次関数Ｆ６と曲線Ｌ０との接点ＳＰ６のＸ座標（近似的に、チャネル１００とみなせる）と、一次関数Ｆ７と曲線Ｌ０との接点ＳＰ７のＸ座標（近似的に、チャネル１２０とみなせる）と、の間に位置することから、補正装置１０２は、交点Ｐ６のＸ座標は、それら２つの接点ＳＰ６、ＳＰ７のＸ座標の間の値であると判定する。
【００８４】
同様に、交点Ｐ７のＸ座標（図４に示すように、およそチャネル１２５）は、一次関数Ｆ７と曲線Ｌ０との接点ＳＰ７のＸ座標（近似的に、チャネル１２０）と、一次関数Ｆ８と曲線Ｌ０との接点ＳＰ８のＸ座標（近似的に、チャネル１４０）と、の間に位置することから、補正装置１０２は、交点Ｐ７のＸ座標は、それら２つの接点ＳＰ８、ＳＰ９のＸ座標の間の値であると判定する。
【００８５】
同様に、交点Ｐ８のＸ座標（図４に示すように、およそチャネル１５４）は、一次関数Ｆ８と曲線Ｌ０との接点ＳＰ８のＸ座標（近似的に、チャネル１４０）と、一次関数Ｆ９と曲線Ｌ０との接点ＳＰ９のＸ座標（近似的に、チャネル１６０）と、の間に位置することから、補正装置１０２は、交点Ｐ８のＸ座標は、それら２つの接点ＳＰ８、ＳＰ９のＸ座標の間の値であると判定する。
【００８６】
要するに、曲線Ｌ０が図３に示す形状の場合、補正装置１０２は、ステップＳ２０３において、交点Ｐ２と交点Ｐ５のＸ座標は、それらを形成する一対の一次関数と曲線Ｌ０との接点のＸ座標の間の値ではないと判定するため、ステップＳ２０２にて演算した各交点Ｐ１〜Ｐ８のＸ座標の全てが所定の範囲内に位置するのではないと判定する（ステップＳ２０３のＮｏ）。
【００８７】
なお、ステップＳ２０３では、図４に示す複数の線分のなかに、曲線Ｌ０からの乖離が大きい線分が存在するか否かを判定していると言える。
【００８８】
ステップＳ２０３に続くステップＳ２０４では、各交点Ｐ１〜Ｐ８のうち、そのＸ座標が各交点Ｐ１〜Ｐ８を形成する一対の一次関数と曲線Ｌ０との接点のＸ座標の間の値ではないと判定された交点を形成する一対の一次関数と曲線Ｌ０との接点の中間のチャネルにおいて、曲線Ｌ０の接線とみなせるような一次関数を演算する。
【００８９】
すなわち、曲線Ｌ０が図３に示す形状の場合、図５に示すように、交点Ｐ２を形成する一対の一次関数Ｆ２、Ｆ３と曲線Ｌ０との接点ＳＰ２、ＳＰ３の中間のチャネル（以下、中間チャネル）であるチャネル３０において曲線Ｌ０の接線とみなせるような一次関数Ｆ１０を演算し、同様に、交点Ｐ５を形成する一対の一次関数Ｆ５、Ｆ６と曲線Ｌ０との接点ＳＰ５、ＳＰ６の中間チャネルであるチャネル９０において曲線Ｌ０の接線とみなせるような一次関数Ｆ１１を演算する。
【００９０】
一次関数Ｆ１０、Ｆ１１を演算するためには、例えば、補正装置１０２からの指令に応じて信号発生器１０１から各中間チャネル（チャネル３０及びチャネル９０）と対応する周波数の信号及び各中間チャネルの隣のチャネル（例えば、チャネル３１及びチャネル９１）と対応する周波数の信号を順次に発信し、この信号を携帯端末１００により順次に測定し、これら測定結果を補正装置１０２に対して出力し、補正装置１０２では、携帯端末１００から入力される受信電界強度の測定結果の各々を、信号発生器１０１から発信されるチャネル（と対応する周波数）とそれぞれ対応付けて記憶する。
【００９１】
そして、補正装置１０２は、２つの座標（チャネル３０、チャネル３０の信号を受信するときの携帯端末１００による受信電界強度の測定値）と座標（チャネル３１、チャネル３１の信号を受信するときの携帯端末１００による受信電界強度の測定値）とを通る一次関数Ｆ１０と、２つの座標（チャネル９０、チャネル９０の信号を受信するときの携帯端末１００による受信電界強度の測定値）と座標（チャネル９１、チャネル９１の信号を受信するときの携帯端末１００による受信電界強度の測定値）とを通る一次関数Ｆ１１と、を演算する。
【００９２】
ここで、一次関数Ｆ１０及びＦ１１において、曲線Ｌ０との接点ＳＰ１０、ＳＰ１１の近傍の部分は、曲線Ｌ０の近似線分であると言える。しかも、一次関数Ｆ１０及びＦ１１において、曲線Ｌ０との接点ＳＰ１０、ＳＰ１１の近傍の部分は、一次関数Ｆ２、Ｆ６の一部よりも曲線Ｌ０に近い近似線分である。
【００９３】
すなわち、ステップＳ２０４は、曲線Ｌ０からの乖離が大きい線分の各々における一部分よりも、曲線Ｌ０に近い線分を演算する工程であると言える。
【００９４】
ここで、図５に示すように、一次関数Ｆ１０と曲線Ｌ０との接点を接点ＳＰ１０、一次関数Ｆ１１と曲線Ｌ０との接点を接点ＳＰ１１と表す。
【００９５】
次に、新たに演算した線分（一次関数Ｆ１０、Ｆ１１における曲線Ｌ０との接点ＳＰ１０、ＳＰ１１の近傍の部分）のなかに、未だ曲線Ｌ０からの乖離が大きい線分が存在する場合に、該乖離が大きい線分の各々における一部分の代わりに、曲線Ｌ０上の２点間を結ぶ線分を演算する工程を行う。
【００９６】
そのためには、補正装置１０２は、先ず、ステップＳ２０４にて新たに演算した一次関数Ｆ１０、Ｆ１１の各々について、この段階までに演算された一次関数Ｆ１〜Ｆ１１のうち、曲線Ｌ０との接点が互いに隣り合う一次関数との交点の座標を演算する（ステップＳ２０５）。
【００９７】
すなわち、具体的には、例えば、補正装置１０２は、図５に示すように、一次関数Ｆ１０と一次関数Ｆ２、Ｆ３との交点Ｐ１０、Ｐ１１の座標と、一次関数Ｆ１１と一次関数Ｆ５、Ｆ６との交点Ｐ１２、Ｐ１３（交点Ｐ１３は図５に示す範囲に無いため図示略）の座標と、を演算する（ステップＳ２０５）。
【００９８】
次に、先のステップＳ２０５にて演算された各交点Ｐ１０〜Ｐ１３の全てが、所定の範囲内に位置するか否かを判定する（ステップＳ２０６）。
【００９９】
具体的には、ステップＳ２０６では、ステップＳ２０３と同様に、各交点Ｐ１０〜Ｐ１３のＸ座標の全てが、各交点Ｐ１０〜Ｐ１３を形成する一対の一次関数と曲線Ｌ０との接点のＸ座標の間の値であるか否かを判定する。
【０１００】
すなわち、図５に示すように、交点Ｐ１０のＸ座標については、一次関数Ｆ２と曲線Ｌ０との接点ＳＰ２のＸ座標と、一次関数Ｆ１０と曲線Ｌ０との接点ＳＰ１０のＸ座標（近似的にチャネル３０）との間の値であるか否かを判定する。交点Ｐ１０のＸ座標（図５に示すように、およそチャネル２２）は、接点ＳＰ２のＸ座標（近似的に、チャネル２０）と、接点ＳＰ１０のＸ座標（近似的に、チャネル３０）と、の間に位置することから、補正装置１０２は、交点Ｐ１０のＸ座標は、それら２つの接点のＸ座標の間の値であると判定する。
【０１０１】
同様に、交点Ｐ１１のＸ座標（図５に示すように、およそチャネル３６）は、一次関数Ｆ１０と曲線Ｌ０との接点ＳＰ１０のＸ座標（近似的に、チャネル３０）と、一次関数Ｆ３と曲線Ｌ０との接点ＳＰ３のＸ座標（近似的に、チャネル４０）と、の間に位置することから、補正装置１０２は、交点Ｐ１１のＸ座標は、それら２つの接点のＸ座標の間の値であると判定する。
【０１０２】
同様に、交点Ｐ１２のＸ座標（図５に示すように、およそチャネル８１）は、一次関数Ｆ５と曲線Ｌ０との接点ＳＰ５のＸ座標（近似的に、チャネル８０）と、一次関数Ｆ１１と曲線Ｌ０との接点のＸ座標（近似的に、チャネル９０）との間に位置することから、補正装置１０２は、交点Ｐ１２のＸ座標は、それら２つの接点のＸ座標の間の値であると判定する。
【０１０３】
しかし、交点Ｐ１３のＸ座標（図５に示すように、少なくともチャネル１２０以上）は、一次関数Ｆ１１と曲線Ｌ０との接点のＸ座標（近似的に、チャネル９０）と、一次関数Ｆ６と曲線Ｌ０との接点のＸ座標（近似的に、チャネル１００）との間から外れていることから、補正装置１０２は、交点Ｐ１３のＸ座標は、それら２つの接点のＸ座標の間の値ではないと判定する。
【０１０４】
要するに、曲線Ｌ０が図３に示す形状の場合、補正装置１０２は、ステップＳ２０６において、交点Ｐ１３のＸ座標は、それを形成する一対の一次関数と曲線Ｌ０との接点のＸ座標の間の値ではないと判定する（ステップＳ２０６のＮｏ）。
【０１０５】
次に、補正装置１０２は、先のステップＳ２０４にて演算された一次関数のうち、ステップＳ２０６の判定の範囲から外れた交点を形成する一次関数と曲線Ｌ０との接点と、この接点から見てステップＳ２０６の判定の範囲から外れた交点側に隣接する分割境界における曲線Ｌ０の接点（曲線Ｌ０と、該分割境界における曲線Ｌ０の接線との接点）と、を結ぶ一次関数を演算する（ステップＳ２０７）。
【０１０６】
すなわち、具体的には、ステップＳ２０７では、図６に示すように、先のステップＳ２０４にて演算された一次関数Ｆ１０、Ｆ１１のうち、ステップＳ２０６の判定の範囲から外れた上記交点Ｐ１３（図示略）を形成する一次関数Ｆ１１と曲線Ｌ０との接点である接点ＳＰ１１と、この接点ＳＰ１１から見てステップＳ２０６の判定の範囲から外れた交点Ｐ１３側に隣接する分割境界である分割境界Ｂ６における曲線Ｌ０と一次関数Ｆ６との接点ＳＰ６と、を結ぶ一次関数Ｆ１２を演算する。
【０１０７】
こうして、先のステップＳ２０４にて新たに演算した線分のうち、曲線Ｌ０からの乖離が大きい線分における一部分の代わりに、曲線Ｌ０リップル波形上の２点間を結ぶ線分が得られる。
【０１０８】
ここで、これまでの段階で演算された一次関数は、一次関数Ｆ１〜Ｆ１２であり、このうち隣り合うものどうしの交点は、Ｐ１、Ｐ２、Ｐ３、Ｐ４、Ｐ５、ＰＰ６、Ｐ７、Ｐ８、Ｐ１０、Ｐ１１、Ｐ１２、Ｐ１３、接点ＳＰ１１（一次関数Ｆ１２と一次関数Ｆ１１との交点でもある）及び接点ＳＰ６（一次関数Ｆ１２と一次関数Ｆ６との交点でもある）である。
【０１０９】
更に、これら交点から、ステップＳ２０６の判定の範囲から外れた交点Ｐ１３を除いた交点を、チャネルの値が小さいものから順に並べると、Ｐ１、Ｐ１０、Ｐ１１、Ｐ２、Ｐ３、Ｐ４、Ｐ５、Ｐ１２、ＳＰ１１、ＳＰ６、Ｐ７、Ｐ８となる。
【０１１０】
次に、これまでに得られた近似線分の端点（交点）のなかに、曲線Ｌ０からの乖離が大きい交点が存在する場合に、その交点と最も近い２つのチャネルにおける曲線Ｌ０上の２点を通る線分によって、乖離が大きい交点で繋がれる一対の線分の一部分ずつを置き換える工程を行う。
【０１１１】
そのためには、補正装置１０２は、先ず、ステップＳ２０８にて、隣り合う一次関数が、互いの交点（ただし、ステップＳ２０６の判定の範囲から外れた交点Ｐ１３は除く）において形成する角のうち、曲線Ｌ０側を向く角の全てが鈍角であるか否かを判定する。
【０１１２】
すなわち、補正装置１０２は、ステップＳ２０８では、隣り合う一次関数が交点Ｐ１、Ｐ１０、Ｐ１１、Ｐ２、Ｐ３、Ｐ４、Ｐ５、Ｐ１２、ＳＰ１１、ＳＰ６、Ｐ７、Ｐ８において形成する角のうち、隣り合う一対の一次曲線と曲線Ｌ０との接点側の角の全てが鈍角であるか否かを判定する。そして、全てが鈍角ではない場合、すなわち鋭角を形成する交点が存在する場合（ステップＳ２０８のＮｏ）、補正装置１０２は、該交点と最も近い２つのチャネルにおける受信電界強度を携帯端末１００に測定させ、その２点を結ぶ一次関数を演算する（ステップＳ２０９）。
【０１１３】
曲線Ｌ０が図３に示す形状の場合、図７に示すように、一次関数Ｆ１と一次関数Ｆ２とが交点Ｐ１において形成する角のうち曲線Ｌ０側を向く角αと、一次関数Ｆ４と一次関数Ｆ５とが交点Ｐ４において形成する角のうち曲線Ｌ０側を向く角βと、が鋭角である。
【０１１４】
こうして、補正装置１０２は、交点Ｐ１と交点Ｐ４とが曲線Ｌ０からの乖離が大きいと認識する。
【０１１５】
そして、補正装置１０２は、交点Ｐ１（図４に示すように、Ｘ座標はほぼチャネル１２とチャネル１３の間）と最も近い２つのチャネルであるチャネル１２及びチャネル１３と、交点Ｐ４（図４に示すように、Ｘ座標はほぼチャネル７２とチャネル７３の間）と最も近い２つのチャネルであるチャネル７２及びチャネル７３において、それぞれ携帯端末１００に受信電界強度を測定させるべく、信号発生器１０１に指令を送信し、該信号発生器１０１からこれらチャネル１２，１３、７２、７３の周波数の信号を順次に発信させる。そして、携帯端末１００は、これらチャネル１２，１３、７２、７３の周波数の信号を順次に受信し、その受信電界強度を測定し、測定結果を補正装置１０２に出力し、記憶させる。
【０１１６】
そして、補正装置１０２は、図７に示すように、２つの座標（チャネル１２、チャネル１２の信号を受信するときの携帯端末１００による受信電界強度の測定値）と座標（チャネル１３、チャネル１３の信号を受信するときの携帯端末１００による受信電界強度の測定値）とを通る一次関数Ｆ１３と、２つの座標（チャネル７２、チャネル７２の信号を受信するときの携帯端末１００による受信電界強度の測定値）と座標（チャネル７３、チャネル７３の信号を受信するときの携帯端末１００による受信電界強度の測定値）とを通る一次関数Ｆ１４と、を演算する。
【０１１７】
次に、補正装置１０２は、ステップＳ２０９にて求めた一次関数と隣り合う一次関数との交点を計算する（ステップＳ２１０）。
【０１１８】
すなわち、補正装置１０２は、ステップＳ２１０において、例えば、図７に示すように、一次関数Ｆ１３と一次関数Ｆ１との交点Ｐ１４の座標と、一次関数Ｆ１３と一次関数Ｆ２との交点Ｐ１５の座標と、一次関数Ｆ１４と一次関数Ｆ４との交点Ｐ１６の座標と、一次関数Ｆ１４と一次関数Ｆ５との交点Ｐ１７の座標と、を演算する。
【０１１９】
これまでの段階で得られた一次関数Ｆ１〜Ｆ１４を全て繋げると、図８のようになる。
【０１２０】
すなわち、図８に示すのは、各一次関数Ｆ１〜Ｆ１４において曲線Ｌ０との接点の近傍の部分からなる近似線分を繋げることにより得られる折れ線Ｌ１である。
【０１２１】
より具体的には、各近似線分は、各一次関数Ｆ１〜Ｆ１４において曲線Ｌ０との接点の近傍の部分を、曲線Ｌ０との接点が隣り合う一次関数との交点と、周波数帯域の最小値及び最小値であるチャネル０及びチャネル１６０の部分と、において区切ることにより得られたものである。
【０１２２】
次に、実際に使用する分割境界を決めていく。本実施形態の場合、上記のように、例えば、周波数帯域の最終的な分割数を１６とするため、分割境界の数は、１７個である。
【０１２３】
先ず、図９に示すように、これまでの段階で得られた一次関数Ｆ１〜Ｆ１４のうち、曲線Ｌ０との接点が隣り合う一次関数の各交点のＸ座標と、チャネル０及びチャネル１６０を、一時的に周波数の分割境界として扱う。
【０１２４】
すなわち、この段階での分割境界の数は、例えば、図９に示すように１５個（分割境界Ｂ１、Ｂ１０、Ｂ１１、Ｂ１２、Ｂ１３、Ｂ１４、Ｂ１５、Ｂ１６、Ｂ１７、Ｂ１８、Ｂ６、Ｂ１９、Ｂ２０、Ｂ２１、Ｂ９の１５個）である。
【０１２５】
また、全チャネルを各分割境界で区切った区間を、それぞれ分割区間ということとする。
【０１２６】
次に、図９に示す複数の分割境界のうち、携帯端末１００により認識する受信電界強度の、周波数に応じた変化量が小さい区間に位置する分割境界は、最終的な分割境界から除外する工程を行う。
【０１２７】
そのためには、補正装置１０２は、先ず、隣り合う分割区間をまとめた場合に、そのまとめた分割区間の両端の電界強度（携帯端末１００が認識する電界強度）のレベル差が所定値（例えば、０．２）よりも小さく、且つ、互いにまとめられる各分割区間における各一次関数の傾きが所定値（例えば、１）よりも小さい、という条件を満たす分割区間が存在するか否かを判定する（ステップＳ２１１）。
【０１２８】
曲線Ｌ０が図３に示す形状だと、交点Ｐ１４から交点Ｐ１５までの分割区間と、これと隣り合う交点Ｐ１５から交点Ｐ１０までの分割区間と、を１つの分割区間にまとめた場合、そのまとめた分割区間の両端のレベル差が０．２未満であるという条件と、各分割区間における各一次関数Ｆ１３、Ｆ２の傾きが１未満であるという条件を満たす。
【０１２９】
更に、交点Ｐ１６から交点Ｐ１７までの分割区間と、これと隣り合う交点Ｐ１７から交点Ｐ１２までの分割区間とを１つの分割区間にまとめた場合、そのまとめた分割区間の両端のレベル差が０．２未満であるという条件と、各分割区間における各一次関数Ｆ１４、Ｆ５の傾きが１未満であるという条件を満たす。
【０１３０】
更に、交点Ｐ６から交点Ｐ７までの分割区間と、これと隣り合う交点Ｐ７から交点Ｐ８までの分割区間とを１つの分割区間にまとめた場合、そのまとめた分割区間の両端のレベル差が０．２未満であるという条件と、各分割区間における各一次関数Ｆ７、Ｆ８の傾きが１未満であるという条件を満たす。
【０１３１】
よって、補正装置１０２は、ステップＳ２１１では、Ｙｅｓと判定する。
【０１３２】
そして、補正装置１０２は、ステップＳ２１２においては、該当の隣り合う分割区間を１つにまとめ、該まとめた分割区間の内側に存在する分割境界を最終的な分割境界から除外（削除）する。
【０１３３】
すなわち、ステップＳ２１２では、図１０に示すように、交点Ｐ１４から交点Ｐ１５までの分割区間と、これと隣り合う交点Ｐ１５から交点Ｐ１０までの分割区間と、を１つの分割区間にまとめ、この１つにまとめた分割区間（交点Ｐ１４から交点Ｐ１０までの区間）の内側に存在する分割境界Ｂ１１（図９）を最終的な分割境界から削除する。
【０１３４】
更に、交点Ｐ１６から交点Ｐ１７までの分割区間と、これと隣り合う交点Ｐ１７から交点Ｐ１２までの分割区間と、を１つの分割区間にまとめ、この１つにまとめた分割区間（交点Ｐ１６〜交点Ｐ１２までの区間）の内側に存在する分割境界Ｂ１６（図９）を最終的な分割境界から削除する。
【０１３５】
更に、交点Ｐ６から交点Ｐ７までの分割区間と、これと隣り合う交点Ｐ７から交点Ｐ８までの分割区間と、を１つの分割区間にまとめ、この１つにまとめた分割区間（交点Ｐ６〜交点Ｐ８までの区間）の内側に存在する分割境界Ｂ２０（図９）を最終的な分割境界から削除する。
【０１３６】
ステップＳ２１２に続いては、再び、ステップＳ２１１の判定に移行する。
【０１３７】
曲線Ｌ０が図３に示す形状だと、交点Ｐ６から交点Ｐ８までの分割区間と、これと隣り合う交点Ｐ８から点ＳＰ９までの分割区間と、を１つの分割区間にまとめた場合、そのまとめた分割区間の両端のレベル差が０．２未満であるという条件と、各分割区間における各一次関数Ｆ８、Ｆ９の傾きが１未満であるという条件を満たす。
【０１３８】
このため、補正装置１０２は、２度目のステップＳ２１１でも、Ｙｅｓと判定する。
【０１３９】
そして、補正装置１０２は、２度目のステップＳ２１２においては、図１０に示すように、交点Ｐ６から交点Ｐ８までの分割区間と、これと隣り合う交点Ｐ８から交点ＳＰ９までの分割区間と、を１つの分割区間にまとめ、この１つにまとめた分割区間（交点Ｐ６から交点ＳＰ９までの区間）の内側に存在する分割境界Ｂ２１（図９）を最終的な分割境界から削除する。
【０１４０】
ステップＳ２１１及びステップＳ２１２の動作は、１つにまとめられる分割区間が無くなるまで（ステップＳ２１１のＮｏと判定されるまで）繰り返された後、ステップＳ２１３に移行する。
【０１４１】
なお、この段階で残された分割境界の数は、例えば、図１０に示すように１１個である。
【０１４２】
次に、分割境界が所定数（本実施形態の場合、例えば、１７個）に達するまで、携帯端末１００により認識する受信電界強度の、周波数に応じた変化量が大きい区間から順に分割境界を加えていくことにより、最終的な分割境界を得る工程を行う。
【０１４３】
そのためには、補正装置１０２は、先ず、ステップＳ２１３において、分割境界の総数が１７個に達したか否かを判定する。
【０１４４】
分割境界の総数が１７個未満の場合（ステップＳ２１３のＮｏ）、補正装置１０２は、両端のレベル差が最大の分割区間における中間チャネルを分割境界に追加する（ステップＳ２１４）。
【０１４５】
ステップＳ２１３及びステップＳ２１４の動作は、分割境界の総数が１７個に達するまで（ステップＳ２１３のＹｅｓと判定されるまで）繰り返された後、ステップＳ２１５に移行する。
【０１４６】
なお、ステップＳ２１４では、例えば、図１１に示すように、分割境界Ｂ１と分割境界Ｂ１０との間に分割境界Ｂ２２及びＢ２３を追加し、分割境界Ｂ１２と分割境界Ｂ１３との間に分割境界Ｂ２４を追加し、分割境界Ｂ１４と分割境界Ｂ１５との間に分割境界Ｂ２５を追加し、分割境界Ｂ１７と分割境界Ｂ１８との間に分割境界Ｂ２６を追加し、分割境界Ｂ６と分割境界Ｂ１９との間に分割境界Ｂ２７を追加する。
【０１４７】
これにより、図１１に示すように、最終的な分割境界として、１７個の分割境界が得られる。
【０１４８】
次に、最終的に得られた分割境界（図１１）で区切られる区間毎に、携帯端末１００による受信電界強度の補正値を演算し、携帯端末１００により認識する受信電界強度を補正する工程を行う。
【０１４９】
そのためには、補正装置１０２は、ステップＳ２１５では、各分割区間毎に、両端のレベルの平均値を計算し、求めた平均値と基準値との差分を補正値として周波数補正を行う。
【０１５０】
すなわち、補正装置１０２は、先のステップＳ２１４で追加された各分割境界Ｂ２２、Ｂ２３、Ｂ２４、Ｂ２５、Ｂ２６、Ｂ２７のチャネルにおいて、それぞれ携帯端末１００に受信電界強度を測定させるべく、信号発生器１０１に指令を送信し、該信号発生器１０１からこれらチャネルの周波数の信号を順次に発信させる。そして、携帯端末１００は、これらチャネルの周波数の信号を順次に受信し、その受信電界強度を測定し、測定結果を補正装置１０２に出力し、記憶させる。
【０１５１】
そして、補正装置１０２は、各分割区間の両端のレベルの平均値を計算し、求めた平均値と基準値との差分を補正値とする。
【０１５２】
例えば、分割境界Ｂ１から分割境界Ｂ２２までの分割区間については、分割境界Ｂ１のチャネル（チャネル０）において携帯端末１００により測定された受信電界強度と、分割境界Ｂ２２のチャネル（図１１に示すように、およそチャネル４）において携帯端末１００により測定された受信電界強度と、の平均値を計算し、この平均値と基準値との差を補正値とする。
【０１５３】
ここで、基準値としては、信号発生器１０１から出力される信号の電界強度（送信強度）を用いる。
【０１５４】
こうして、補正装置１０２は、その他の分割区間についても、同様に、両端のレベルの平均値を計算し、求めた平均値と基準値との差から補正値を演算する。
【０１５５】
次に、補正装置１０２は、演算した各補正値を携帯端末１００に送信し、これら補正値を携帯端末１００に記憶させる。
【０１５６】
携帯端末１００では、補正装置１０２から受信した各補正値を用いて、各分割区間毎に受信電界強度を補正することにより、チャネル（周波数）にかかわらず真の電界強度に近い受信電界強度を認識できるようになる。
【０１５７】
図１２に示す不連続な曲線Ｌ２は、ステップＳ２１５の補正後において、携帯端末１００が各チャネルにおいて認識する受信電界強度を示す曲線である。
【０１５８】
図１２に示すように、曲線Ｌ２は、補正前において携帯端末１００が各チャネルにおいて認識する受信電界強度を示す曲線Ｌ０と比べると、バラツキが抑制されていることが分かる。
【０１５９】
以上のような実施形態によれば、周波数に応じて認識する受信電界のリップルが大きい携帯端末１００にとって、分割区間の総数は固定だが分割される周波数のポイントが可変であるので、大きな周波数依存特性を持つ箇所を細かく周波数分割することができ、より精密な調整をすることが容易である。
【０１６０】
また、携帯端末１００ごとに分割境界が可変のため、携帯端末１００ごとの正確な補正が可能である。さらに、リップルの勾配の大きさに応じて適宜に分割境界の位置を設定することができるため、急勾配の箇所では分割境界の数を多くする一方で、緩勾配の箇所では分割境界の数を減らすことができ、補正後の周波数に対する受信特性が局所的に悪化することがない。また、分割境界の総数を固定としているため、補正値のデータ量は、従来と同様のデータ量のままにすることができる。
【０１６１】
加えて、分割境界の従来と同じでも良いため、従来から受信電界の周波数補正に用いられている系をそのまま使用して、簡単に本実施形態を適用することが可能であることも特徴のひとつである。
【０１６２】
なお、上記のステップＳ２１１では、隣り合う分割区間をまとめた場合に、そのまとめた分割区間内におけるレベルの最大値と最小値との差が所定値（例えば、０．２）よりも小さく、且つ、互いにまとめられる各分割区間における各一次関数の傾きが所定値（例えば、１）よりも小さいような分割区間が存在するか否かを判定しても良い。
【０１６３】
また、上記の実施形態において説明した各工程は、適宜に省略しても良い。具体的には、例えば、ステップＳ２０３〜Ｓ２０７を省略したり、ステップＳ２０６〜Ｓ２０７を省略したり、ステップＳ２０８〜Ｓ２１０を省略したり、ステップＳ２１１〜Ｓ２１２を省略したり、ステップＳ２０３〜Ｓ２１４を省略しても良く、実施形態に具体的に記載していない例であっても、特許請求の範囲に記載した構成は、本発明に含まれる。
【０１６４】
すなわち、受信電界強度補正システム１０は、補正対象となる全ての周波数帯域を複数に分割した区間毎に、認識電界強度の周波数依存特性を示す曲線と近似する近似線分を演算する第１の手段と、前記演算された複数の近似線分のなかに、第１の条件を満たすほど前記曲線からの乖離が大きい線分が存在する場合には、当該乖離が大きい線分の一部分よりも前記曲線に近い近似線分を演算する第２の手段と、近似曲線どうしの交点の周波数を分割境界とし、これら分割境界で区切られる区間を分割区間とし、各分割境界の両端における認識電界強度の平均値と、基準値との差を、各分割区間毎の補正値として前記携帯端末に出力し、該携帯端末に周波数補正を行わせる第３の手段と、を備えるものであっても良い。この場合、前記第２の手段により新たに演算された近似線分のなかに、前記第１の条件を満たすほど前記曲線からの乖離が大きい線分が存在する場合には、当該乖離が大きい線分の一部分の代わりに、該一部分と対応する区間において前記曲線上の２点間を結ぶ近似線分を演算する第４の手段を更に備えたり、或いは、隣り合う近似線分の交点の中に、第２の条件を満たすほど前記曲線からの乖離が大きい交点が存在する場合には、当該交点の直近の周波数における前記曲線上の２点間を結ぶ近似線分を演算する第５の手段を更に備えたり、或いは、近似曲線どうしの交点の周波数を分割境界とし、これら分割境界のうち、第３の条件を満たすほど周波数に応じた認識電界強度の変化量が小さい区間に位置する分割境界を、分割境界から除外する第６の手段を更に備えたりすることができる。
【０１６５】
更に、受信電界強度補正システム１０は、補正対象となる全ての周波数帯域を複数に分割した区間毎に、認識電界強度の周波数依存特性を示す曲線と近似する近似線分を演算する第１の手段と、近似曲線どうしの交点の周波数を分割境界とし、各分割境界で区切られる分割区間のうち、周波数に応じた認識電界強度の変化量が最大の分割区間から順に、当該分割区間内の中間周波数を分割境界として追加することにより、最終的な分割境界を所定数だけ得る第２の手段と、各分割境界の両端における認識電界強度の平均値と、基準値との差を、各分割区間毎の補正値として前記携帯端末に出力し、該携帯端末に周波数補正を行わせる第３の手段と、を備えるものであっても良い。この場合に、近似曲線どうしの交点の周波数を分割境界とし、これら分割境界のうち、第３の条件を満たすほど周波数に応じた認識電界強度の変化量が小さい区間に位置する分割境界を、分割境界から除外する第４の手段を更に備えても良い。
【０１６６】
更に、受信電界強度補正システム１０は、補正対象となる全ての周波数帯域を複数に分割した区間毎に、認識電界強度の周波数依存特性を示す曲線と近似する近似線分を演算する第１の手段と、近似曲線どうしの交点の周波数を分割境界とし、これら分割境界のうち、第３の条件を満たすほど周波数に応じた認識電界強度の変化量が小さい区間に位置する分割境界を、分割境界から除外する第２の手段と、各分割境界の両端における認識電界強度の平均値と、基準値との差を、各分割区間毎の補正値として前記携帯端末に出力し、該携帯端末に周波数補正を行わせる第３の手段と、を備えるものであっても良い。
【０１６７】
そして、このように工程を適宜に省略した何れの場合にも、従来技術と比べると、上記の実施形態に近い効果が得られる。
【図面の簡単な説明】
【０１６８】
【図１】実施形態に係る受信電界強度補正システムの構成を示すブロック図である。
【図２】受信電界強度補正システムの動作の流れを示すフローチャートである。
【図３】携帯端末により認識される受信電界強度のリップル波形を示す図である。
【図４】周波数帯域の分割境界を決定する一連の工程を説明するための図であり、特に、図３のリップル波形を複数の線分により近似する工程を説明するための図である。
【図５】周波数帯域の分割境界を決定する一連の工程を説明するための図であり、特に、図４に示す複数の線分のなかに、リップル波形からの乖離が大きい線分が存在する場合に、該乖離が大きい線分の各々における一部分よりも、リップル波形に近い線分を演算する工程を説明するための図である。
【図６】周波数帯域の分割境界を決定する一連の工程を説明するための図であり、特に、新たに演算した線分のなかに、未だリップル波形からの乖離が大きい線分が存在する場合に、該乖離が大きい線分の各々における一部分に代えて、リップル波形上の２点間を結ぶ線分を演算する工程を説明するための図である。
【図７】周波数帯域の分割境界を決定する一連の工程を説明するための図であり、特に、隣り合う線分の端点（交点）のなかに、リップル波形からの乖離が大きい端点が存在する場合に、その端点と最も近い２つのチャネルにおけるリップル波形上の２点を通る線分によって、乖離が大きい端点で繋がれる一対の線分の一部分ずつを置き換える工程を説明するための図である。
【図８】周波数帯域の分割境界を決定する一連の工程を説明するための図であり、特に、図７までの段階で求めた線分を繋げた状態を示す図である。
【図９】周波数帯域の分割境界を決定する一連の工程を説明するための図であり、特に、図８に示す複数の線分の端点にあたる周波数（チャネル）を分割境界として示す図である。
【図１０】周波数帯域の分割境界を決定する一連の工程を説明するための図であり、特に、図９に示す複数の分割境界のうち、携帯端末による受信電界強度の変化が小さい区間に位置する分割境界は、最終的な分割境界から除外する工程を説明するための図である。
【図１１】周波数帯域の分割境界を決定する一連の工程を説明するための図であり、特に、周波数帯域の分割境界が所定数に達するまで、携帯端末による受信電界強度の変化が大きい区間から順に分割境界を加えていくことにより、最終的な分割境界を得る工程を説明するための図である。
【図１２】最終的に得られた分割境界（図１１）で区切られる区間毎に、受信電界強度の補正値を演算し、携帯端末により認識する受信電界強度を補正する工程を説明するための図である。
【符号の説明】
【０１６９】
１００    携帯端末
１０１    信号発生器
１０２    補正装置
【図１】
2008227651.tif 000003
【図２】
2008227651.tif 000004
【図３】
2008227651.tif 000005
【図４】
2008227651.tif 000006
【図５】
2008227651.tif 000007
【図６】
2008227651.tif 000008
【図７】
2008227651.tif 000009
【図８】
2008227651.tif 000010
【図９】
2008227651.tif 000011
【図１０】
2008227651.tif 000012
【図１１】
2008227651.tif 000013
【図１２】
2008227651.tif 000014